(57)【要約】【課題】  仕切を設けることは、収納物同士の干渉や片寄りの軽減など、収納物を保護する上で有用ではあるが、仕切を設けることによる段ボール材の部品点数の増加、収容効率の低下などの問題がある。【解決手段】  矩形状の底面の各辺からそれぞれ側面を延設して形成したトレー容器において、一の対向する各側面の自由端部から順次延設した折重片、載置底面及び縦仕切片、他の対向する各側面の両側から順次延設した挿通片及び横仕切片より構成し、該折重片の内側から該挿通片を介して突出させる該横仕切片に対し、該折重片と該縦仕切片に設けた切欠を嵌め込んで係合させ、該載置底面を該折重片と該縦仕切片により該底面から離反させて支持する。【選択図】        図１
2012025462.tif 000002
【特許請求の範囲】
【請求項１】
矩形状の底面の各辺からそれぞれ側面を延設して形成したトレー容器において、一の対向する各側面の自由端部から順次延設した折重片、載置底面及び縦仕切片、他の対向する各側面の両側から順次延設した挿通片及び横仕切片より構成し、該折重片の内側から該挿通片を介して突出させる該横仕切片に対し、該折重片と該縦仕切片に設けた切欠を嵌め込んで係合させ、該載置底面を該折重片と該縦仕切片により該底面から離反させて支持したことを特徴とする底部緩衝箱。
【発明の詳細な説明】
【技術分野】
【０００１】
本発明は、収納物の緩衝機能を高めた包装容器の改良に関する。
【背景技術】
【０００２】
運搬や保管に供する包装容器において、収納物を保護することを目的として内部を複数に区画する仕切が従来より広く利用されている。仕切は、収納物同士の干渉や片寄りの軽減、緩衝空間の形成、附属品の収納区画の確保などの点でも有用である。
例えば、特許文献１に開示されている緩衝仕切付包装箱は、仕切部材に収容物の保持部を設けることによって収容物の保護を図っている。
【０００３】
特許文献２に開示されている収納容器は、果実を入れたパックを仕切部材に引っ掛けて宙吊り状態で収納する構造である。この他、特許文献３の包装用箱は、上下にテーパー状に設けたホールド部で被包装物を支持させることで、周囲に緩衝空間を形成して衝撃から保護する構造である。
【先行技術文献】
【特許文献】
【０００４】
【特許文献１】特開２００９−１８４６９８
【特許文献２】特開２００４−３４５６６８
【特許文献３】特開２００５−２５５２２４
【発明の概要】
【発明が解決しようとする課題】
【０００５】
包装容器に仕切を設けることは、上述したように収納物同士の干渉や片寄りの軽減など、収納物を保護する上で有用ではあるが、仕切を設けることによる段ボール材の部品点数の増加、収容効率の低下などの問題がある。また、段ボール製の仕切と収納物との関係が大きく起因することから、単に区画域を形成しただけで、乱雑な取り扱いや落下などによる衝撃から収納物を保護する機能が発揮できない場合が生じる。
【０００６】
例えば、特許文献１や特許文献２の構造は、薬液を充填したシリンジや薬瓶など比較的重量のある収納物に対して、緩衝機能が作用して保護することができる。しかし、これらの構造では、イチゴやブドウなどのパックの包装材としては、緩衝機能がほとんど作用しないことや収納効率が低い点などから不向きである。この点、特許文献３では包装容器に枠体をセットしてパックを宙吊り状態に保持させることで緩衝作用を付与している。
【０００７】
このように、包装容器に緩衝機能を設けて収納物を保護するためには、概して仕切材などで収納物の保持を厳密に区画すること、収納物の保持材と外装材との間に緩衝空間を設けること、個別容器の緩衝性を利用した保持構造とすることによって対応している。しかし、これらの包装容器では、上述したように収納物によって緩衝作用が機能しない、収納効率が低い、個別容器を必要とする問題がある。しかも、収納物に対応した仕切部材等を設ける必要があり汎用性に乏しいことや部品点数が多く組み立てや処分に手間がかかる欠点がある。
【課題を解決するための手段】
【０００８】
そこで本発明者は上記問題に鑑み鋭意研究の結果、本発明を成し得たものであり、その特徴とするところは、矩形状の底面の各辺からそれぞれ側面を延設して形成したトレー容器において、一の対向する各側面の自由端部から順次延設した折重片、載置底面及び縦仕切片、他の対向する各側面の両側から順次延設した挿通片及び横仕切片より構成し、該折重片の内側から該挿通片を介して突出させる該横仕切片に対し、該折重片と該縦仕切片に設けた切欠を嵌め込んで係合させ、該載置底面を該折重片と該縦仕切片により該底面から離反させて支持したことにある。
【０００９】
ここで、本明細書中でいう「トレー容器」とは、段ボール、厚紙、プラスチックシート、プラスチック段ボールなどの板材を折り曲げて容器状に組み立てたものをいう。本発明におけるトレー容器は、矩形状の底面の各辺からそれぞれ側面を延設し、一の対向する各側面から縦仕切片、他の対向する各側面から横仕切片を延設して内部を複数に区画する構造である。
【００１０】
「縦仕切片」とは、一の対向する各側面の自由端部から順次延設した折重片、載置底面に延設したもので、横仕切片と相互に係合させることによって、容器内部を複数に区画する部材である。
【００１１】
収納物を載置させる載置底面は、側面の上端部から垂下する折重片と、横仕切片に上方から嵌め込んで係合させる縦仕切片との間に設けられた部材であり、吊り下げた状態で容器本体の底面から離反させて支持される。この場合、載置底面の長さ（折重片と縦仕切片の間の長さ）を短くすることで、側面と折重片、縦仕切片同士の間にも空間を形成することができる。
【００１２】
「横仕切片」とは、他の対向する各側面の両側から延設した挿通片に延設したもので、縦仕切片と相互に直交させて係合する。横仕切片に対しては、折重片と縦仕切片に設けた切欠を嵌め込んで係合させる。縦仕切片同士と横仕切片同士は、接当させてもよく、離反させてもよい。接当させると容器内部は４分割され、離反させれば最大９分割される。また、横仕切片は側面との間に空間を形成するために設けるだけでもよい。横仕切片を延設した他の対向する各側面の自由端部からは、フラップや天面を覆う蓋フラップを延設することも可能である。
【発明の効果】
【００１３】
本発明に係る底部緩衝箱は、収納物を載置させる載置底面と容器本体の底面との間に空間を設けた構造であることから、収納物に対する緩衝機能を高めることができる。特に、載置底面を吊り下げた状態に支持して底面との間に空間を形成しているため、比較的軽い収納物に対しても緩衝性が高く、乱雑な取り扱いや輸送時の振動などに対して収納物を保護することができる。しかも、容器自体に緩衝機能を設けているため、収納物を載置底面に置くだけでよく、パックなどのプラスチック容器に入れなくても緩衝機能が得られる。
【００１４】
また、本発明に係る底部緩衝箱は一枚のブランクシートから載置底面や仕切を組み立てる構造であるため、組み立てが簡単にできるのみならず、別体の組み付け部品の管理や保管の必要がないなど実用上極めて有益な効果を有するものである。
【図面の簡単な説明】
【００１５】
【図１】本発明に係る底部緩衝箱の一実施例を示す斜視図である。（実施例１）
【図２】図１に示した底部緩衝箱のブランクシートである。
【図３】図１に示した底部緩衝箱の縦断面図である。
【図４】図１に示した底部緩衝箱の使用状態を示す斜視図である。
【図５】本発明に係る底部緩衝箱の他の実施例を示す縦断面図である。（実施例２）
【図６】本発明に係る底部緩衝箱のさらに他の実施例を示す横断面図である。（実施例３）
【図７】本発明に係る底部緩衝箱のさらに他の実施例を示す斜視図である。（実施例４）
【図８】図７に示した底部緩衝箱のブランクシートである。
【発明を実施するための形態】
【００１６】
本発明は、包装容器として、一の対向する各側面の自由端部から順次延設した折重片、載置底面及び縦仕切片、他の対向する各側面の両側から順次延設した挿通片及び横仕切片より構成し、該折重片の内側から該挿通片を介して突出させる該横仕切片に対し、該折重片と該縦仕切片に設けた切欠を嵌め込んで係合させ、該載置底面を該折重片と該縦仕切片により該底面から離反させて支持したことにより、上述課題を解決した。
【実施例１】
【００１７】
図１は、本発明に係る底部緩衝箱１の一実施例を示すもので、図２はそのブランクシートである。この底部緩衝箱１は、底面２の各辺から側面３を延設した段ボール製トレー容器で、一の対向する側面３の自由端部から折重片４、載置底面５及び縦仕切片６を順次延設し、他の対向する側面３の両側からそれぞれ挿通片７及び横仕切片８を順次延設した構造である。
【００１８】
この底部緩衝箱１は、横仕切片８から組み立てる。組み立てた該横仕切片８に対して、折重片４に設けた切欠９を嵌め込み、縦仕切片６に設けた仕切係合溝１０を横仕切片８上端に設けた仕切係合溝１０に嵌め込んで相互に係合させて完了する。本例では、横仕切片８を延設した他の対向する各側面の自由端部からフラップ１５を延設している。
【００１９】
底部緩衝箱１は、図３に示すように載置底面５が折重片４と縦仕切片６に吊り下げられた状態で底面２から離反しているため、収納物としてのイチゴパックＳの底部側の緩衝作用が極めて高くなる。尚、本例では、折重片４と縦仕切片６の下端部に底面２に接当させる脚１１をそれぞれ設けている。また、本例の底部緩衝箱１は、本体構造を積載段ボール箱としており、上端部に突出片１２、下端部に該突出片１２を係合させる係合切欠１３を設けて、図４に示すように積み重ねやすくしている。突出片１２は基部に折罫を設けており、図のように折り倒して蓋１４を被せ、テープ掛けして梱包する。
【実施例２】
【００２０】
本発明に係る底部緩衝箱１は、図５に示すように基本的に載置底面５を底面２から離反させ、折重片４と縦仕切片６によって吊り下げた状態に支持したものであればよい。前述したように載置底面５の折重片４と縦仕切片６との間の長さを短くすることで、底面２側だけでなく側面３側や縦仕切片６側に空間を形成することもできる。また、脚１１を設けることにより、収納物の揺れや、収納物が減った場合など載置底面５の沈み込みや浮き上がりを防止して安定させることができる。
【実施例３】
【００２１】
本発明に係る底部緩衝箱１においては、他の対向する各側面３の両側からそれぞれ横仕切片８を延設していることから、図６のように横仕切片８同士を離反させて設けるようにしてもよい。これにより、底部緩衝箱１内部を縦仕切片６と横仕切片８で６分割することができる。
【実施例４】
【００２２】
また、図７のように縦仕切片６同士を離反させることで、さらに区画域を増やすことができる。図８は、図７に示した底部緩衝箱１のブランクシートである。縦仕切片６同士を離反させた区画には、載置底面５が存在しないため、収納物の附属品や保冷剤などの付帯品の収納区画とすることができる。
【００２３】
本例の底部緩衝箱１では、横仕切片８を他の対向する側面３との間に緩衝空間を形成することを目的として設けており、横仕切片８同士は係合溝１７を設けて相互に係合させて連結している。そして、一の対向する側面３側は、これに折り重ねる折重片４を緩衝空間を形成するように横仕切片８に係合させている。また、他の対向する各側面３には、天面を閉じるための蓋フラップ１６を延設している。
【符号の説明】
【００２４】
１  底部緩衝箱
２  底面
３  側面
４  折重片
５  載置底面
６  縦仕切片
７  挿通片
８  横仕切片
９  切欠
１０  仕切係合溝
１１  脚
１２  突出片
１３  係合切欠
１４  蓋
１５  フラップ
１６  蓋フラップ
１７  係合溝
【図１】
2012025462.tif 000003
【図２】
2012025462.tif 000004
【図３】
2012025462.tif 000005
【図４】
2012025462.tif 000006
【図５】
2012025462.tif 000007
【図６】
2012025462.tif 000008
【図７】
2012025462.tif 000009
【図８】
2012025462.tif 000010